(57)【要約】  より少ない消費電力、とりわけ少ないフィードバック電流により作動する磁気センサを提供する。  幅方向に順に互いに平行に配置され、電気的に直列に接続されている第１の電流線、第２の電流線および第３の電流線と、該第２の電流線の下部に配置され、該第２の電流線の延在する方向に沿って延在し、前記第１の電流線、第２の電流線および第３の電流線を流れる電流により生じた誘導磁界により電気抵抗が変化す磁気抵抗効果素子と、を有し、幅方向における、前記第１の電流線の外側から前記第３の電流線の外側までの長さＬｓと前記磁気抵抗効果素子の幅方向の長さＷｇとが下記（１）式を満足することを特徴とする磁気センサである。                  Ｌｓ／Ｗｇ≦５      （１）
2014148437.tif 000002
【特許請求の範囲】
【請求項１】
幅方向に順に互いに平行に配置され、電気的に直列に接続されている第１の電流線、第２の電流線および第３の電流線と、
該第２の電流線の下部に配置され、該第２の電流線の延在する方向に沿って延在し、前記第１の電流線、第２の電流線および第３の電流線を流れる電流により生じた誘導磁界により電気抵抗が変化する磁気抵抗効果素子と、
を有し、
幅方向における、前記第１の電流線の外側から前記第３の電流線の外側までの長さＬｓと前記磁気抵抗効果素子の幅方向の長さＷｇとが下記（１）式を満足することを特徴とする磁気センサ。
Ｌｓ／Ｗｇ≦５      （１）
【請求項２】
前記第２の電流線の幅方向の長さＷｐと前記磁気抵抗効果素子の幅方向の長さＷｇとが下記（２）式を満足することを特徴とする請求項１に記載の磁気センサ。
Ｗｐ≦Ｗｇ      （２）
【請求項３】
前記磁気抵抗効果素子が複数配置されていることを特徴とする請求項１又は２に記載の磁気センサ。
【請求項４】
前記第１の電流線、第２の電流線および第３の電流線が、平面コイルの一部であることを特徴とする請求項１〜３のいずれか１項に記載の磁気センサ。
【請求項５】
前記第１の電流線、第２の電流線および第３の電流線を覆うヨーク層が、該第１の電流線、第２の電流線および第３の電流線の上に配置されていることを特徴とする請求項１〜４のいずれか１項に記載の磁気センサ。
【請求項６】
前記前記第１の電流線、第２の電流線および第３の電流線が、それぞれ、上下方向に２層以上形成されていることを特徴とする請求項１〜５のいずれか１項に記載の磁気センサ。
【請求項７】
前記の第２の電流線の延在する方向に垂直な方向に延在する複数のバイアス磁界印加用電流線であって、流れる電流により生じた誘導磁界により前記磁気抵抗効果素子にバイアス磁界を印加するバイアス磁界印加用電流線をさらに有することを特徴とする請求項１〜６のいずれか１項に記載の磁気センサ。
【請求項８】
前記複数のバイアス磁界印加用電流線が、前記第１の電流線、第２の電流線および第３の電流線よりも上部に配置されることを特徴とする請求項７に記載の磁気センサ。
【請求項９】
前記複数のバイアス磁界印加用電流線が、前記第２の電流線と前記磁気抵抗効果素子との間に配置されることを特徴とする請求項７に記載の磁気センサ。
【請求項１０】
前記複数のバイアス磁界印加用電流線が、前記第１の電流線、第２の電流線および第３
の電流線よりも下部に配置されることを特徴とする請求項７に記載の磁気センサ。
【請求項１１】
前記磁気抵抗効果素子が、スピンバルブ巨大磁気抵抗効果素子であることを特徴とする請求項１〜１０のいずれか１項に記載の磁気センサ。
【請求項１２】
前記第１の電流線と平行に延在し、かつ前記第１の電流線よりも外側に配置された第４の電流線と、
前記第３の電流線と平行に延在し、かつ前記第３の電流線よりも外側に配置された第５の電流線と、
前記第４の電流線の下部に配置され、軟磁性材料を含んで成り、前記第１〜第５の電流線および前記磁気抵抗効果素子と電気的に接続されていない第１のヨーク層と、
前記第５の電流線の下部に配置され、軟磁性材料を含んで成り、前記第１〜第５の電流線および前記磁気抵抗効果素子と電気的に接続されていない第２のヨーク層と、
を更に含むことを特徴とする請求項１〜１１のいずれか１項に記載の磁気センサ。
【請求項１３】
前記磁気抵抗効果素子が２つ以上配置され、該２つ以上の磁気抵抗効果素子が、ブリッジ回路を形成するように電気的に接続されていることを特徴とする請求項１〜１２のいずれか１項に記載の磁気センサ。
【請求項１４】
前記ブリッジ回路が、ハーフブリッジ回路であることを特徴とする請求項１３に記載の磁気センサ。
【請求項１５】
前記ブリッジ回路が、フルブリッジ回路であることを特徴とする請求項１３に記載の磁気センサ。
【発明の詳細な説明】
【技術分野】
【０００１】
本発明は磁気センサ、磁気抵抗効果素子を用いる磁気センサに関する。
【背景技術】
【０００２】
ハイブリッドカーおよび電気自動車の電流制御、及び電池の充放電制御、パワーエレクトロニクス分野の電力変換装置、スマートグリッド等多くの分野において非接触で電流を測定するため、またはスロットルポジション、アクセル位置もしくは電動パワステトルクなどの磁界強度を測定するために磁気センサが用いられている。【０００３】
このような磁気センサとして、電流線等の導電体の周りを取り囲むようにリング形状を有し、リング形状の一部分にギャップが設けられた磁心（Ｃ型形状の磁心）と、ギャップ部に配置されたホール素子等の磁気検出素子と、磁心の周りに巻き付けられた巻線（コイル）とを有する磁気センサが知られている。
この磁気センサでは、導電体を流れる電流によって磁心内に誘導された磁界をギャップに配置した磁気検出素子が検出し、磁心内の磁界がゼロになるように巻線にフィードバック電流を流し、この電流値を検出抵抗により電圧換算し、この電圧値より導電体を流れる電流の大きさを求めている。【０００４】
しかし、上述の磁心を有する磁気センサは、磁心が導電体の周囲を取り囲むように形成されていることから、磁心内に生ずる誘導磁界が大きくなる。従って、フィードバック電流として流す電流量が大きくなり、この結果、消費電力が大きくなるという問題があった。
このため、例えば、バッテリーにより電流を供給している装置では、１回の充電で使用可能な時間が短くなる等の諸々の問題が生じていた。【０００５】
例えば特許文献１に示されるように、直線状に延在する複数の電流線が平行に配置されている直線部を含む平面コイルと、直線部の電流線が延在する方向と同じ方向に延在する１または２以上の磁気抵抗効果素子とを有する磁気センサ（電流センサー）が知られている。
この磁気抵抗効果素子を用いた磁気センサは、測定対象の導電体を流れる電流（検出対象電流）による誘導磁界のうち、一部分（測定対象の導電体を取り囲む円周方向の一部分）の磁界を磁気抵抗効果素子により検出し、検出した磁界をキャンセルするように（検出対象電流により磁気抵抗効果素子に印加された外部磁界と反対向きで同じ大きさの磁界を磁気抵抗効果素子に印加するように）電流線（平面コイル）にフィードバック電流を流し、このフィードバック電流の大きさから検出対象電流の大きさを求めている。【０００６】
このような構成を有する磁気センサは、測定対象である導電体の周囲を取り囲むように磁心を形成する上述の磁気センサと比べて消費電力を低減できるという利点がある。
【先行技術文献】
【特許文献】
【０００７】
【特許文献１】特開２０１１−１９６７９８号公報
【発明の概要】
【発明が解決しようとする課題】
【０００８】
しかしながら、各種装置の小型化、軽量化に対する要望は益々増加しており、例えば、より小型で小容量のバッテリーを最大容量まで充電して使用する際に使用回数や使用時間を従来と同じにしたいとの要望がある。また、従来と同じバッテリーを最大容量まで充電して使用する際でも、より長い時間使用したいまたは使用回数を増やしたいとの要望がある。さらには、バッテリーを用いずに商用電源を用いる装置であっても省エネルギーに対する要望はよりいっそう強くなっている。
そして、これらの要望は全て、より少ない消費電力で機能する磁気センサを求めていることに他ならない
そこで本発明はより少ない消費電力、とりわけ少ないフィードバック電流により作動する磁気センサを提供することを目的とする。
【課題を解決するための手段】
【０００９】
本発明者らは、１つの磁気抵抗効果素子に対し、当該磁気抵抗効果素子に最も近接した１つの電流線により発生した誘導磁界により駆動する方式ではなく、１つの磁気抵抗効果素子に対し、直列に接続した複数の電流線により発生した誘導磁界により実用的に駆動する方式を見出し、本発明に到達した。
本発明の態様１は、幅方向に順に互いに平行に配置され、電気的に直列に接続されている第１の電流線、第２の電流線および第３の電流線と、該第２の電流線の下部に配置され、該第２の電流線の延在する方向に沿って延在し、前記第１の電流線、第２の電流線および第３の電流線を流れる電流により生じた誘導磁界により電気抵抗が変化する磁気抵抗効果素子と、を有し、幅方向における、前記第１の電流線の外側から前記第３の電流線の外側までの長さＬｓと前記磁気抵抗効果素子の幅方向の長さＷｇとが下記（１）式を満足することを特徴とする磁気センサである。
Ｌｓ／Ｗｇ≦５      （１）
【００１０】
本発明の態様２は、前記第２の電流線の幅方向の長さＷｐと前記磁気抵抗効果素子の幅方向の長さＷｇとが下記（２）式を満足することを特徴とする態様１に記載の磁気センサである。
Ｗｐ≦Ｗｇ      （２）
【００１１】
本発明の態様３は、前記磁気抵抗効果素子が複数配置されていることを特徴とする態様１又は２に記載の磁気センサである。【００１２】
本発明の態様４は、前記第１の電流線、第２の電流線および第３の電流線が、平面コイルの一部であることを特徴とする態様１〜３のいずれかに記載の磁気センサである。【００１３】
本発明の態様５は、前記第１の電流線、第２の電流線および第３の電流線を覆うヨーク層が、該第１の電流線、第２の電流線および第３の電流線の上に配置されていることを特徴とする態様１〜４のいずれかに記載の磁気センサである。【００１４】
本発明の態様６は、前記前記第１の電流線、第２の電流線および第３の電流線が、それぞれ、上下方向に２層以上形成されていることを特徴とする態様１〜５のいずれかに記載の磁気センサである。【００１５】
本発明の態様７は、前記の第２の電流線の延在する方向に垂直な方向に延在する複数のバイアス磁界印加用電流線であって、流れる電流により生じた誘導磁界により前記磁気抵抗効果素子にバイアス磁界を印加するバイアス磁界印加用電流線をさらに有することを特徴とする態様１〜６のいずれかに記載の磁気センサである。【００１６】
本発明の態様８は、前記複数のバイアス磁界印加用電流線が、前記第１の電流線、第２の電流線および第３の電流線よりも上部に配置されることを特徴とする態様７に記載の磁気センサである。【００１７】
本発明の態様９は、前記複数のバイアス磁界印加用電流線が、前記第２の電流線と前記磁気抵抗効果素子との間に配置されることを特徴とする態様７に記載の磁気センサである。【００１８】
本発明の態様１０は、前記複数のバイアス磁界印加用電流線が、前記第１の電流線、第２の電流線および第３の電流線よりも下部に配置されることを特徴とする態様７に記載の磁気センサである。【００１９】
本発明の態様１１は、前記磁気抵抗効果素子が、スピンバルブ巨大磁気抵抗効果素子であることを特徴とする態様１〜１０のいずれかに記載の磁気センサである。【００２０】
本発明の態様１２は、前記第１の電流線と平行に延在し、かつ前記第１の電流線よりも外側に配置された第４の電流線と、前記第３の電流線と平行に延在し、かつ前記第３の電流線よりも外側に配置された第５の電流線と、前記第４の電流線の下部に配置され、軟磁性材料を含んで成り、前記第１〜第５の電流線および前記磁気抵抗効果素子と電気的に接続されていない第１のヨーク層と、前記第５の電流線の下部に配置され、軟磁性材料を含んで成り、前記第１〜第５の電流線および前記磁気抵抗効果素子と電気的に接続されていない第２のヨーク層と、を更に含むことを特徴とする態様１〜１１のいずれかに記載の磁気センサである。【００２１】
本発明の態様１３は、前記磁気抵抗効果素子が２つ以上配置され、該２つ以上の磁気抵抗効果素子が、ブリッジ回路を形成するように電気的に接続されていることを特徴とする態様１〜１２のいずれかに記載の磁気センサである。【００２２】
本発明の態様１４は、前記ブリッジ回路が、ハーフブリッジ回路であることを特徴とする態様１３に記載の磁気センサである。【００２３】
本発明の態様１５は、前記磁気抵抗効果素子が４つ以上配置され、かつ前記ブリッジ回路が該４つ以上の磁気抵抗効果素子を用いたフルブリッジ回路であることを特徴とする態様１３に記載の磁気センサ
【発明の効果】
【００２４】
本発明に係る磁気センサは、フィードバック電流を流す電流線と、電流線を流れる電流により生じた誘導磁界（フィードバック磁界）により電気抵抗が変化する磁気抵抗効果素子との配置を適正にしたものである。これにより少ない消費電力で作動する磁気センサを提供できる。
【図面の簡単な説明】
【００２５】
【図１】図１は、フィードバック電流を流すための１本の電流線２０と磁気抵抗効果素子１０とを示す図である。図１（ａ）は斜視図であり、図１（ｂ）は断面図であり、図１（ｃ）は平面図である。
【図２】図２は、図１に示す電流線２０を含む平面コイル７０を示す平面図である。
【図３】図３（ａ）は、本発明の実施形態１に係る磁気センサ１００の上面図であり、図３（ｂ）は、図３（ａ）の１ｂ−１ｂ断面を示す断面図である。
【図４】図４は、長さＬｓと磁気抵抗効果素子１０の長さＷｇの関係を例示する断面図である。
【図５】図５は複数の磁気抵抗効果素子１０を配置する形態を例示する上面図である。
【図６】図６は、電流線の個数の影響を調べるために用いたモデルを示す図である。
【図７】図７はシミュレーション結果を示すグラフである。
【図８】図８は、磁気抵抗効果素子の個数の影響を調べるために用いたモデルを示す図である。
【図９】図９はシミュレーション結果を示すグラフである。
【図１０】図１０は、シミュレーション結果を示すグラフである。
【図１１】図１１は、図１０と別のシミュレーション結果を示すグラフである。
【図１２】図１２は、上述した実施形態１の変形例である磁気センサ１２０を示し、図１２（ａ）は磁気センサ１２０の上面図であり、図１２（ｂ）は図１２（ａ）に示した平面コイル７０の直線部Ｂを拡大した上面図であり、図１２（ｃ）は図１２（ｂ）の２ｃ−２ｃ断面を示す断面図である。
【図１３】図１３は、本発明の実施形態２に係る磁気センサ１３０を示し、図１３（ａ）は磁気センサ１３０の上面図であり、図１３（ｂ）は図１３（ａ）に示した平面コイル７０の直線部Ｂを拡大した上面図であり、図１３（ｃ）は図１３（ｂ）の３ｃ−３ｃ断面を示す断面図である。
【図１４】図１４はシミュレーション結果を示すグラフである。
【図１５】図１５は、本発明の実施形態３に係る磁気センサ１４０を示し、図１５（ａ）は磁気センサ１４０の上面図であり、図１５（ｂ）は図１５（ａ）に示した平面コイル７０の直線部Ｂを拡大した上面図であり、図１５（ｃ）は図１５（ｂ）の４ｃ−４ｃ断面を示す断面図である。
【図１６】図１６はシミュレーション結果を示すグラフである。
【図１７】図１７は、本発明の実施形態４に係る磁気センサ１５０を示し、図１７（ａ）は磁気センサ１５０の上面図であり、図１７（ｂ）は図１７（ａ）に示した平面コイル７０の直線部Ｂを拡大した上面図であり、図１７（ｃ）は図１７（ｂ）の５ｃ−５ｃ断面を示す断面図である。
【図１８】図１８は、実施形態４の変形例に係る磁気センサ１６０を示し、図１８（ａ）は磁気センサ１６０の上面図であり、図１８（ｂ）は図１８（ａ）に示した平面コイル７０の直線部Ｂを拡大した上面図であり、図１８（ｃ）は図１８（ｂ）の６ｃ−６ｃ断面を示す断面図である。
【図１９】図１９は、本発明の実施形態５に係る磁気センサ１７０を示し、図１９（ａ）は磁気センサ１７０の上面図であり、図１９（ｂ）は図１９（ａ）に示した平面コイル７０の直線部Ｂを拡大した上面図であり、図１９（ｃ）は図１９（ｂ）の７ｃ−７ｃ断面を示す断面図である。
【図２０】図２０は、本発明の実施形態６に係る磁気センサ１８０を示し、図２０（ａ）は磁気センサ１８０の上面図であり、図２０（ｂ）は図２０（ａ）に示した平面コイル７０の直線部Ｂを拡大した上面図であり、図２０（ｃ）は図２０（ｂ）の８ｃ−８ｃ断面を示す断面図である。
【図２１】図２１は、実施形態６の変形例に係る磁気センサ１９０を示し、図２１（ａ）は磁気センサ１９０の上面図であり、図２１（ｂ）は図２１（ａ）に示した平面コイル７０の直線部Ｂを拡大した上面図であり、図２１（ｃ）は図２１（ｂ）の９ｃ−９ｃ断面を示す断面図である。
【図２２】図２２は、本発明の実施形態７に係る磁気センサ２００を示し、図２２（ａ）は磁気センサ２００の上面図であり、図２２（ｂ）は図２２（ａ）に示した平面コイル７０の直線部Ｂを拡大した上面図であり、図２２（ｃ）は図２２（ｂ）の１０ｃ−１０ｃ断面を示す断面図である。
【図２３】図２３は、実施形態７の変形例に係る磁気センサ２１０を示し、図２３（ａ）は磁気センサ２１０の上面図であり、図２３（ｂ）は図２３（ａ）に示した平面コイル７０の直線部Ｂを拡大した上面図であり、図２３（ｃ）は図２３（ｂ）の１１ｃ−１１ｃ断面を示す断面図である。
【図２４】図２４は、本発明の実施形態８に係る磁気センサ２２０を示し、図２４（ａ）は磁気センサ２２０の上面図であり、図２４（ｂ）は図２４（ａ）に示した平面コイル７０の直線部Ｂを拡大した上面図であり、図２４（ｃ）は図２４（ｂ）の１２ｃ−１２ｃ断面を示す断面図である。
【図２５】図２５は、実施形態８の変形例に係る磁気センサ２３０を示し、図２５（ａ）は磁気センサ２３０の上面図であり、図２５（ｂ）は図２５（ａ）に示した平面コイル７０の直線部Ｂを拡大した上面図であり、図２５（ｃ）は図２５（ｂ）の１３ｃ−１３ｃ断面を示す断面図である。
【図２６】図２６は本発明の実施形態９に係る磁気センサ２４０を示す平面図である。
【図２７】図２７は、磁気センサ回路（フィードバック回路）の例を示す概略回路図である。
【図２８】図２８は、４つの磁気抵抗効果素子１０を用いてフルブリッジ回路を構成した例を示す概略回路図である。
【図２９】図２９は、実施例サンプル１の断面を示す断面図である。
【発明を実施するための形態】
【００２６】
以下、図面に基づいて本発明の実施形態を詳細に説明する。なお、以下の説明では、必要に応じて特定の方向や位置を示す用語（例えば、「上」、「下」、「右」、「左」及びそれらの用語を含む別の用語）を用いるが、それらの用語の使用は図面を参照した発明の理解を容易にするためであって、それらの用語の意味によって本発明の技術的範囲が制限されるものではない。また、複数の図面に表れる同一符号の部分は、特に断らない限り同一の部分又は部材を示す。
【００２７】
本発明の理解を容易にするために、最初に図１および図２を用いて磁気抵抗効果素子を用いた磁気センサにより磁気および／または電流を検出する仕組み概要を説明する。
図１は、フィードバック電流を流すための１本の電流線２０と磁気抵抗効果素子１０とを示す図である。図１（ａ）は斜視図であり、図１（ｂ）は断面図であり、図１（ｃ）は平面図である。図２は、図１に示す電流線２０を含む平面コイル７０を示す平面図である。
【００２８】
図１（以下、図１（ａ）〜図１（ｃ）のように図を示す番号が同じで番号の後ろのアルファベットのみが異なる複数の図を総称して「図１」のように図の番号で呼ぶ場合がある。）に示すように、必要に応じて配置される絶縁層１２を介して電流線２０の下部に磁気抵抗効果素子１０が配置されている。磁気抵抗効果素子１０は、電流線２０が延在する方向に平行に延在している（すなわち、磁気抵抗効果素子１０は、電流線２０が延在する方向に沿って延在している）。磁気抵抗効果素子１０は、外部から印加された磁界（外部磁界）の向きおよび強さに応じて電気抵抗が変化する素子であり、好ましくはＧＭＲ素子（巨大磁気抵抗効果素子）であり、より好ましくはＳＶＧＭＲ素子（spin valve giant magnetic resistance（スピンバルブ巨大磁気抵抗効果素子））である。
【００２９】
電流線２０は、直線的に延在する導電体であり、例えば図２に示す平面コイル７０の平面視した（図２の−Ｚ方向から見た）長方形形状の外観における長辺方向（Ｙ方向）に平行に延在して配置され伝導体が複数配置されている部分（図２に示す直線部Ｂ）の導電体の１つである。
【００３０】
磁気抵抗効果素子１０および電流線２０（例えばコイル７０）は、図１および２に図示しないフィードバック回路（磁気センサ回路）に接続されている。
図１（ａ）に示すように測定対象の導電体による誘導磁界の一部である外部磁界３２が磁気抵抗効果素子１０に印加されると磁気抵抗効果素子１０の電気抵抗が変化する。磁気抵抗効果素子１０の電気抵抗が変化すると、外部磁界３２を打ち消す（すなわち外部磁界３２と同じ大きさでかつ反対方向の）フィードバック磁界３０を形成するように、フィードバック回路から電流線２０にフィードバック電流３４が供給される。
【００３１】
このフィードバック電流３４の大きさ（または電流３４を流すための電圧の大きさ）を求めることで、外部磁界３２の大きさを求めることができる。そして、外部磁界３２の大きさから検出対象導体を流れる電流の大きさを求めることができる。
なお、本明細書において用語「外部磁界」とは検出対象を流れる電流（測定対象となる電流）による誘導磁界を意味する。
【００３２】
このような測定原理により磁界の大きさおよび電流の大きさを測定できる、磁気抵抗効果素子１０を用いた磁気センサでは、フィードバック電流３４が、センサ全体の消費電力のかなりの部分を占めることから、フィードバック電流を減らすことがセンサ全体の消費電力を低減することに繋がる。
【００３３】
本願発明者らは、その詳細を後述するように、幅方向に順に互いに平行に配置され、電気的に直列に接続された３本の電流線（順に、第１の電流線、第２の電流線、第３の電流線）２０と、第２の電流線（真ん中の電流線）の下部に、第２の電流線の延在する方向に平行な方向に延在して配置された磁気抵抗効果素子１０とを有する磁気センサにおいて、幅方向における前記第１の電流線の外側から前記第３の電流線の外側までの長さＬｓ（すなわち、Ｌｓは、幅方向における、第１の電流線の長さと、第１の電流線と第２の電流線との間の距離（隙間）と、第２の電流線の長さと、第２の電流線と第３の電流線との間の距離と、第３の電流線の長さの合計である。）と、前記磁気抵抗効果素子の幅方向の長さＷｇとが以下の（１）式を満足するように、第１〜第３の電流線と磁気抵抗効果素子とを配置することにより、第２の電流線により形成されるフィードバック磁界に加えて、第１の電流線により形成されるフィード磁界と第３の電流線により形成されるフィードバック磁界とが効果的に磁気抵抗効果素子に印加でき、少ない電流で所望のフィードバック磁界を磁気抵抗効果素子に印加できることを見出し本発明に至ったものである。
Ｌｓ／Ｗｇ≦５      （１）
以下に本発明の詳細を説明する。
【００３４】
１．実施形態１
１−１．磁気センサ１００の構成
図３（ａ）は、本発明の実施形態１に係る磁気センサ１００の上面図であり、図３（ｂ）は、図３（ａ）の１ｂ−１ｂ断面を示す断面図である。
磁気センサ１００は、同じ方向に延在し、かつ直列に電気的に接続されている複数の電流線２０を有している。好ましい実施形態の１つでは電流線２０は、図２に示す平面コイル７０の直線部Ｂを構成する電流線である。平面コイルの両端部に電圧を印加することにより全ての電流線２０にフィードバック電流を流すことができるからである。
図３（ａ）に示す実施形態では、１１本の電流線２０が配置されているが、３本以上であれば任意の本数の電流線２０が配置されてよい。
同様に、図２に示す平面コイル７０の直線部Ｂには７本の電流線２０しか描かれていないが、コイル７０の巻数を変えることにより直線部Ｂの電流線２０の数を３本以上であれば任意の本数としてよい。
図３では、電流線２０を個別に識別するために、電流線２０のそれぞれに符号「２０ａ」〜「２０ｋ」のいずれかを付している。
【００３５】
磁気センサ１００は、１または複数の磁気抵抗効果素子１０を有している。外部磁界をより高精度に検出するためには磁気抵抗効果素子１０の個数は多い方が良い。また、感磁軸方向を複数持つと、外付け抵抗など無しで、磁気抵抗効果素子を含むセンサチップのみで差動出力が得られるため、磁気抵抗効果素子１０は少なくとも２個以上配置されている
ことが好ましい。
前記２個の磁気抵抗効果素子の延在方向と平行な両隣に磁気抵抗効果素子１０があると磁気抵抗効果素子の磁束密度が増幅されるため、磁気抵抗効果素子１０が４個以上配置されていることがより好ましい。図３に示す実施形態では、磁気センサ１００は、５つの磁気抵抗効果素子１０を有している。
図３を用いて磁気抵抗効果素子１０と電流線２０との位置関係を以下に説明する。図３では、磁気抵抗効果素子を個別に識別するために、個々の磁気抵抗効果素子１０のそれぞれに符号「１０ａ」〜「１０ｅ」のいずれかを付している。
【００３６】
図３（ａ）に示すように、その幅方向（Ｘ方向）に沿って順に電流線（第１の電流線）２０ａ、電流線（第２の電流線）２０ｂ、電流線（第３の電流線）２０ｃ、・・・電流線２０ｋと互いに平行に配置されている。図３の実施形態では、図３（ｂ）に示すように電流線２０ａ〜２０ｋは、それぞれ、幅方向（Ｘ方向）の長さがＷｐであり、隣り合う電流線２０は距離（電流線２０同士の間の隙間）ｄ２を有して離間している。
磁気抵抗効果素子１０ａは電流線（第２の電流線）２０ｂの下部（電流線の高さ方向（図３のＺ方向）における下部（または直下））にその延在方向が電流線２０ｂの延在方向と平行になるように配置されている。
電流線２０（２０ｂ）と磁気抵抗効果素子１０（１０ａ）との間の絶縁をより確実に行うために、図３に示すように電流線２０（２０ｂ）と磁気抵抗効果素子１０（１０ａ）との間に絶縁層１２（１２ａ）を配置してよい。
【００３７】
磁気抵抗効果素子１０ａはその幅方向（Ｘ方向）の長さがＷｇである（図３の実施形態では他の磁気抵抗効果素子１０ｂ〜１０ｅも幅方向の長さはＷｇである）。
図３（ｂ）に示す長さＬｓは、幅方向における前記第１の電流線２０ａの外側（図３（ｂ）では第１の電流線２０ａの左側の端部）から前記第３の電流線の外側（図３（ｂ）では第３の電流線２０ｃの右側の端部）までの長さである。
換言すれば、長さＬｓは、幅方向における、第１の電流線２０ａの長さと、第１の電流線２０ａと第２の電流線２０ｂとの間の距離（隙間）と、第２の電流線２０ｂの長さと、第２の電流線２０ｂと第３の電流線２０ｃとの間の距離（隙間）と、第３の電流線２０ｃの長さの合計であり、図３の実施形態ではＬｓは３Ｗｐ＋２ｄ２となる。
【００３８】
そして、磁気センサ１００は、長さＬｓと長さＷｇが（１）式を満足するように構成されている。
Ｌｓ／Ｗｇ≦５      （１）
（１）式を満足することは、電流線２０（電流線２０ａ〜２０ｃ）の幅方向の長さに対して磁気抵抗効果素子１０ａが十分な幅方向の長さを有することにより、磁気抵抗効果素子１０ａには、その直上に位置する電流線２０ｂによるフィードバック磁界に加えて、電流線２０ｂの両隣に位置する電流線２０ａと電流線２０ｃによるフィードバック磁界も効率的に印加されることを意味する。
そして、このことは、電流線２０ａ、電流線２０ｂおよび電流線２０ｃは同じ向きに、同じ電流が流れるように直列に接続されていることから、磁気センサ１００では１本の電流線に電流を流した場合より少ない電流量で、より強いフィードバック磁界を磁気抵抗効果素子１０に印加できることを意味する。
【００３９】
また好ましくは、長さＬｓと長さＷｇは（１Ａ）式を満足する。少ない電流でより確実に強いフィードバック磁界を磁気抵抗効果素子１０に印加できるからである。
Ｌｓ／Ｗｇ≦３      （１Ａ）
（１）式および（１Ａ）式を満足することにより得られる効果については、後述するシミュレーションの結果でも明らかになっている。
【００４０】
好ましくは、長さＬｓの中心と磁気抵抗効果素子１０の長さＷｇの中心（磁気抵抗効果素子１０の幅方向の中心）とは一致している。磁気抵抗効果素子１０が、第２の電流線２０ｂの両隣に位置する第１の電流線２０ａおよび第３の電流線２０ｃのからのフィードバック磁界を効率的に受けることが出来るからである。
また、好ましくは、磁気抵抗効果素子１０の幅方向の長さＷｇと電流線２０の幅方向の長さＷｐは以下に示す（２）式を満足する。（２）式は、磁気抵抗効果素子１０の幅方向の長さが電流線２０（とりわけ、電流線２０ｂ）の幅方向の長さより長いことを意味する。これにより、磁気抵抗効果素子１０内の反磁界が小さくでき、感度が上がりやすくなる。そのため少ない消費電流でも高い出力が得られる。また、（２）式を満足していることは、磁気抵抗効果素子１０の幅方向の端部が、第１の電流線２０ａまたは第３の電流線２０ｃに接近していることを意味する。これにより、磁気抵抗効果素子１０に電流線２０ａおよび電流線２０ｃによるフィードバック磁界を確実に印可することができる。
Ｗｐ≦Ｗｇ      （２）
【００４１】
なお、（１）式を満足する磁気抵抗効果素子１０の長さＷｇの形態は図３（ｂ）に示す実施形態に限定されるものではなく複数の形態が可能である。
図４は、長さＬｓと磁気抵抗効果素子１０の長さＷｇの関係を例示する断面図である。図４（ａ）は、Ｗｇ≦Ｗｐ＋２ｄ２の場合を示し、図４（ｂ）は、Ｗｇ≧Ｗｐ＋２ｄ２の場合を示し、図４（ｃ）はＷｇ＝Ｌｓの場合を示し、図４（ｄ）はＷｇ＞Ｌｓの場合を示す。
図４（ａ）は、図３（ｂ）の実施形態と同じであり、幅方向の位置において、磁気抵抗効果素子１０ａの端部（両方の端部）は、第１の電流線２０ａと第２の電流線２０ｂとの間および第２の電流線２０ｂと第３の電流線２０ｃとの間のどちらかに位置している。
図４（ｂ）の場合、幅方向の位置において、磁気抵抗効果素子１０ａの端部（両方の端部）は、第１の電流線２０ａおよび第３の電流線２０ｃのどちらかと重なる。
また、図４（ｂ）の実施形態は、Ｗｇ＝２Ｗｐである場合を含み得る。
図４（ｃ）の場合、幅方向の位置において、磁気抵抗効果素子１０ａの端部（両方の端部）は、第１の電流線２０ａの外側端部（図４（ｃ）では左側端部）および第３の電流線２０ｃの外側端部（図４（ｃ）では右側端部）のどちらかと一致する。
図４（ｄ）の場合、幅方向の位置において、磁気抵抗効果素子１０ａの端部（両方の端部）は、第１の電流線２０ａの外側端部（図４（ｄ）では左側端部）および第３の電流線２０ｃの外側端部（図４（ｄ）では右側端部）のどちらかよりも外側となっている。
【００４２】
図３に示す実施形態では、さらに磁気抵抗効果素子（第２の磁気抵抗効果素子）１０ｂが絶縁層１２ｂを介して電流線２０ｄの下部にその延在方向が電流線２０ｄの延在方向と平行になるように配置されている。この場合、第１の電流線が電流線２０ｃであり、第２の電流線が電流線２０ｄであり、第３の電流線が電流線２０ｅであり、（１）式を満足している。
さらに磁気抵抗効果素子（第３の磁気抵抗効果素子）１０ｃが絶縁層１２ｃを介して電流線２０ｆの下部に、その延在方向が電流線２０ｆの延在方向と平行になるように配置されている。この場合、第１の電流線が電流線２０ｅであり、第２の電流線が電流線２０ｆであり、第３の電流線が電流線２０ｇであり、（１）式を満足している。
また、磁気抵抗効果素子（第４の磁気抵抗効果素子）１０ｄが絶縁層１２ｄを介して電流線２０ｈの下部に、その延在方向が電流線２０ｈの延在方向と平行になるように配置されている。この場合、第１の電流線が電流線２０ｇであり、第２の電流線が電流線２０ｈであり、第３の電流線が電流線２０ｉであり、（１）式を満足している。
さらにまた、磁気抵抗効果素子（第５の磁気抵抗効果素子）１０ｅが絶縁層１２ｅを介して電流線２０ｊの下部に、その延在方向が電流線２０ｊの延在方向と平行になるように配置されている。この場合、第１の電流線が電流線２０ｉであり、第２の電流線が電流線２０ｊであり、第３の電流線が電流線２０ｋであり、（１）式を満足している。
【００４３】
図３に示す実施形態では、例えば電流線２０ｃは、磁気抵抗効果素子１０ａが配置されている電流線２０ｂを第２の電流線とする場合の第３の電流線であるとともに、その下部に磁気抵抗効果素子１０ｂが配置されている電流線２０ｄを第２の電流線とする場合の第１の電流線でもある（電流線２０ｅ、２０ｇ、２０ｉも同様）。このように、１本の電流線を第１〜第３の電流線のうちの２つ役割を兼用させてよい。
また、例えば電流線２０ｂと電流線２０ｄの間、電流線２０ｄと電流線２０ｆとの間、電流線２０ｆと電流線２０ｈの間、および電流線２０ｈと電流線２０ｊの間に、それぞれ、その下部に磁気抵抗効果素子が配置されていない電流線を２本以上配置する等により、電流線が第１〜第３の電流線のいずれか１つとしてのみ機能するようにしてもよい。
【００４４】
また、複数の磁気抵抗効果素子１０を配置する形態は、図３の形態に限定されるものではない。図５は複数の磁気抵抗効果素子１０を配置する形態を例示する上面図である。
図５（ａ）は、図３と同じ形態であり、順に並ぶ電流線２０ａ〜２０ｄの１つおきにその下部に磁気抵抗効果素子１０を配置している。
図５（ｂ）では、隣り合う電流線２０ｂと電流線２０ｃの両方に磁気抵抗効果素子１０を配置している。この場合、磁気抵抗効果素子１０ａにとっては電流線２０ｂが第２の電流線であり、電流線２０ｃが第３の電流線であり、磁気抵抗効果素子１０ｂにとっては電流線２０ｃが第２の電流線であり、電流線２０ｂが第１の電流線である。
図５（ｃ）では、１本の電流線の下部に複数の磁気抵抗効果素子１０（図５（ｃ）では磁気抵抗効果素子１０ａ、１０ｂの２つ）が配置されている。
図５に示したいずれの形態も（１）式を満足させることが可能である。
【００４５】
図３に示す電流線２０（電流線２０ａ〜２０ｋ）は、上述したように、同じ幅Ｗｐを有し、等間隔ｄ１で配置されている。形成されるフィードバック磁界を均一にできることからこの形態が好ましい。しかし、これに限定されるものではない。（１）式を満足する限りは、第１の電流線、第２の電流線および第３の電流線の幅方向の長さのうち少なくとも１つが他と異なっていてもよい。また、幅方向において第１の電流線と第２の電流線との間の距離と、第２の電流線と第３の電流線との間の距離が異なっていてもよい。
【００４６】
また、図３に示すように、電流線２０ｂの幅方向（Ｘ方向）の中心（図３（ａ）で電流線２０ｂを通る一点鎖線３６および図３（ｂ）で電流線２０ｂを通る一点鎖線３８）と磁気抵抗効果端子１０ａの幅方向（Ｘ方向）の中心とは一致している（すなわち、電流線２０ｂを通る一点鎖線３６、３８は磁気抵抗効果素子１０ａの幅方向の中心線でもある）ことが好ましい。電流線２０により生じたフィードバック磁界がより均一に磁気抵抗効果素子１０ａに印加されるからである。
同様に、電流線２０ｄ、電流線２０ｆ、電流線２０ｈおよび電流線２０ｊの幅方向の中心は、それぞれ、磁気抵抗効果素子１０ｂ、磁気抵抗効果素子１０ｃ、磁気抵抗効果素子１０ｄおよび磁気抵抗効果素子１０ｅの幅方向の中心と一致している。
【００４７】
１−２．シミュレーション結果
次に、本発明の効果をより明確にするために行ったシミュレーションの結果を説明する。
［電流線の個数の影響］
図６は、電流線の個数の影響を調べるために用いたモデルを示す図であり、図６（ａ）のモデルでは１本の電流線２０とその下に絶縁層１２（不図示）を介して配置されている１つの磁気抵抗効果素子１０とを有しており、図６（ｂ）のモデルでは、図６（ａ）のモデルの構成に加えて、その下部に磁気抵抗効果素子１０が配置されている電流線２０の両隣に、その下に磁気抵抗効果素子が配置されていない電流線２０をそれぞれ１本ずつ配置し、図６（ｃ）のモデルでは、図６（ａ）のモデルの構成に加えて、その下部に磁気抵抗効果素子１０が配置されている電流線２０の両隣に、その下に磁気抵抗効果素子が配置されていない電流線２０をそれぞれ２本ずつ配置している。
すなわち、図６（ａ）のモデルでは電流線２０が合計１本、図６（ｂ）のモデルでは電流線２０が合計３本、図６（ｃ）のモデルでは電流線２０が合計５本配置されている。
【００４８】
シミュレーションは、電流線２０を銅より成る幅（Ｘ方向長さ）４μｍ、厚さ（Ｚ方向の長さ）０．８μｍの断面が長方形形状の導体とし、電流線２０のそれぞれには１０ｍＡの電流を流すこととした。また隣り合う電流線２０同士の距離（隙間）は４μｍとした。
絶縁層１２は、厚さ１μｍとした。
磁気抵抗効果素子１０は、ＳＶＧＭＲ素子を想定した。通常ＳＶＧＭＲ素子は、スピンの方向を固定した、例えばＣｏＦｅ層等を含む１または複数の層から成る固定層と、外部磁界により容易にスピンの向きが変わる、例えばＮｉＦｅ層等から成るフリー層とを有するが、単純化のため、磁気抵抗効果素子１０は、飽和磁束密度Ｂｓが１．４Ｔ、長さ１００μｍ、幅１０μｍ、厚さ２０ｎｍのＮｉＦｅの単層膜としてシミュレーションを行った。
これらのモデルおよびパラメータを用い、シミュレーションは株式会社ＪＳＯＬ社製の磁界解析ソフトＪ−ＭＡＧを用いて行った。
【００４９】
図７はシミュレーション結果を示すグラフである。
なお、図７のグラフの横軸「Ｘ方向位置」は、磁気抵抗効果素子１０の幅方向の位置を示し、０μｍが磁気抵抗効果素子１０の幅方向の中心であり、幅方向の中心からの距離をＸ方向を正、−Ｘ方向を負で示している。
図７から判るように、電流線２０が１本の場合と比べて、電流線２０が３本となることで磁気抵抗効果素子１０内の磁束密度が顕著に増加する。一方、電流線２０が３本と５本の場合では、５本の場合の方が磁気抵抗効果素子１０内の磁束密度は大きいが、その差は小さい。
【００５０】
［磁気抵抗効果素子の個数の影響］
図８は、磁気抵抗効果素子の個数の影響を調べるために用いたモデルを示す図であり、いずれのモデルも図３と同じ１１本の電流線２０を有しているが、図８（ａ）のモデルでは、磁気抵抗効果素子１０は真ん中（図で上から６本目）の電流線２０の下に絶縁層１２（不図示）を介して１つ配置されているだけであり、図８（ｂ）のモデルでは、磁気抵抗効果素子１０は、図で上から４本目、６本目および８本目の電流線２０の下に絶縁層１２を介して合計３つ配置されており、図８（ｃ）のモデルは図３に示した磁気センサ１００と同じ構成を有しており、従って合計５つの磁気抵抗効果素子１０が配置されている。
このようなモデルを用いて、上述の［電流線の個数の影響］で示したのと同じ条件でシミュレーションを行った。
【００５１】
図９はシミュレーション結果である。図９のグラフの横軸「Ｘ方向位置」は、それぞれのモデルにおいて幅方向の真ん中の磁気抵抗効果素子１０（図８（ａ）では唯一図示されている磁気抵抗効果素子１０、図８（ｂ）では３つ図示されている磁気抵抗効果素子１０のうち、紙面の上から２つ目の磁気抵抗効果素子１０、図８（ｃ）では５つ図示されている磁気抵抗効果素子１０のうち、紙面の上から３つ目の磁気抵抗効果素子１０）内での幅方向の位置を示し、０μｍが当該磁気抵抗効果素子１０の幅方向の中心であり、幅方向の中心からの距離を、Ｘ方向を正、−Ｘ方向を負で示している。
図９から判るように、磁気抵抗効果素子１０を複数配置することにより、磁気抵抗効果素子１０内の磁束密度は顕著に増加する。一方、磁気抵抗効果素子１０が３個と５個の場合では、磁気抵抗効果素子１０内の磁束密度の大きさに大きな違いは認められない。
【００５２】
次にＬｓ／Ｗｇと磁気抵抗効果素子に印加される磁界（磁束密度）との関係をシミュレーションした結果を示す。
【００５３】
［Ｌｓ／Ｗｇと磁気抵抗効果素子に印加される磁界（磁束密度）との関係］
図３（ｂ）に示す構成の一部である、電流線（第１の電流線）２０ａ、電流線（第２の電流線）２０ｂおよび電流線（第３の電流線）２０ｃと、絶縁層１２ａを介して電流線２０ｂの下部に配置されている磁気抵抗効果素子１０ａとから成る構成を用いてシミュレーションを行った。
電流線２０ａ、２０ｂ、２０ｃは、それぞれ幅Ｗｐを有し、隣り合う電流線との距離（隙間）はｄ２となっている。従って、ここで、電流線２０ａ〜２０ｃの幅（合計：３×Ｗｐ）と、電流線２０ａと電流線２０ｂとの間の距離ｄ２と、電流線２０ｂと電流線２０ｃとの間の距離ｄ２との合計３Ｗｐ＋２ｄ２が長さＬｓである。
磁気抵抗効果素子１０ａは幅Ｗｇを有している。
長さＬｓの幅Ｗｇに対する比率であるＬｓ／Ｗｇを変化させた場合の磁気抵抗効果素子１０ａ内の磁束密度をシミュレーションにより求めた。Ｗｐを２μｍ〜１０μｍまで変化させ、Ｗｇを５μｍ〜２０μｍまで変化させ、ｄ２を２μｍ〜１０μｍまで変化させることによりＬｓ／Ｗｇを変化させた。シミュレーションのその他の条件は上述の［電流線の個数の影響］で示したのと同じ条件である。
【００５４】
図１０はシミュレーション結果を示す。グラフ上の各点は計算値であり、曲線はこれらのグラフ上の点（計算値）から求めた累乗近似曲線である。
図１０から、Ｌｓ／Ｗｇが５以下であると磁気抵抗効果素子内の磁束密度を０．１５（Ｔ）以上と十分に大きな値とできることが判る。特に、Ｌｓ／Ｗｇが３以下であると、磁気抵抗効果素子内の磁束密度が０．２６以上と顕著に大きなフィードバック磁界を与えることできることが判る。
図１１は図１０と別のシミュレーション結果を示すグラフである。
図１０から、Ｌｓ／Ｗｇが５以下であると、フィードバック電流による磁気抵抗効果素子内の磁束密度が０．１５（Ｔ）以上になる。図１０はフィードバック電流１０ｍＡの結果であるため、測定対象の外部磁界（例えば、測定対象の電流により誘起される外部磁界）印加による磁気抵抗効果素子内の磁束密度が０．１５（Ｔ）であればフィードバック電流１０ｍＡでキャンセルでき磁気平衡状態にできる。
図１１（a）は、幅Ｗｇが５μｍの磁気抵抗効果素子１０に幅方向に平行な外部磁界が印加された場合の磁気抵抗効果素子１０内の磁束密度を示す。５０Ｏｅの外部磁界で該磁束密度が約０．６Ｔ、同じく２０Ｏｅの測定対象磁界で該磁束密度が約０．２Ｔとなっていることがわかる。図１０はフィードバック電流１０ｍＡの結果であるため、約１３ｍＡのフィードバック電流で２０Ｏｅの測定対象磁界をキャンセルできることがわかる。また、例え５０Ｏｅの外乱磁界が印加されてもリセット電流３９ｍＡを瞬間的に印加すれば磁気抵抗効果素子１０を磁気的に初期状態にすることができることも判る。これらの消費電流はいずれも従来型の磁気センサよりも明らかに低い消費電流である。従来型の磁気平衡型電流センサの１つは、上述したように、測定対象の電流線がC型のコア内に誘導磁界を発生させ、その誘導磁界をキャンセルするようにフィードバック電流を巻線に流し、その電流値、またはそれに比例した電圧値を測定することにより測定対象電流を測定するものである。測定電流線の巻線数Ｎ１をフィードバック巻線の巻線数Ｎ２で割り、測定電流値Ｉをかけた数値、Ｉ×（Ｎ１／Ｎ２）がフィードバックに必要な消費電流値になる。センサ自体の大きさがコンパクトであることが要求され（たとえば車載のため）、電流線の許容電流値による制限などからＮ２を増やすことには限界があり、結果として消費電流は大きくなってしまう。
ここでＬｓ／Ｗｇ＝５の例として、Ｗｐ＝５μｍ、Ｗｇ＝５μｍ、ｄ２＝５μｍなどＷｐ＝Ｗｇ＝ｄ２の条件を挙げることができる。
【００５５】
また、図１１（ｂ）は、電流線が１本の場合の磁気抵抗効果素子内の磁束密度、に対する、電流線が３本の場合の磁気抵抗効果素子内磁束密度の比率を増幅率とし、この増幅率とＬｓ／Ｗｇの関係を示すグラフである。磁気抵抗効果素子の幅方向長さＷｇは５μｍとした。図１１（ｂ）より、Ｌｓ／Ｗｇが５以下になると顕著に大きなフィードバック磁界を与えることできることが判る。即ち、Ｗｇが５μｍの場合、Ｌｓは２５μm以下であることが好ましい。
【００５６】
なお、本発明において、電流線２０の厚さは、０．４μｍ〜５μｍ、幅Ｗｐは２μｍ〜１０μｍ、隣り合う電流線２０の距離（隙間）は２μｍ〜１０μｍであることが好ましい。電流線２０は、例えば銅、銀またはアルミニウムのような電気伝導性に優れた材料により形成される。
また、磁気抵抗効果素子１０の幅Ｗｇは好ましくは４μｍ〜２０μｍである。磁気抵抗効果素子１０の長さ（電流線２０に沿った方向の長さ）は、絶縁耐圧を考慮すると５００μｍ以上であることが好ましい。
【００５７】
以下に、本発明に係る他の実施形態について説明する。これらの実施形態において、特段の断りの無い部分の構成は、実施形態１と同じであってよい。また特に断りがない限り、同じ符号を有する要素は、異なる実施形態間であっても同じ構成を有してよい。
それぞれの実施形態を説明する前にこれらの実施形態の説明に用いる図との比較を容易にする目的で磁気センサ１２０について説明しておく。
図１２は、実施形態１の変形例である磁気センサ１２０を示し、図１２（ａ）は磁気センサ１２０の上面図であり、図１２（ｂ）は図１２（ａ）に示した平面コイル７０の直線部Ｂを拡大した上面図であり、図１２（ｃ）は図１２（ｂ）の２ｃ−２ｃ断面を示す断面図である。
磁気センサ１２０では、コイル７０の直線部に配置されている電流線２０の数が９本であり、磁気抵抗効果素子１０の数が４つである点が磁気センサ１００と異なる。これ以外の構成は磁気センサ１００と同じである。
【００５８】
２．実施形態２
図１３は、本発明の実施形態２に係る磁気センサ１３０を示し、図１３（ａ）は磁気センサ１３０の上面図であり、図１３（ｂ）は図１３（ａ）に示した平面コイル７０の直線部Ｂを拡大した上面図であり、図１３（ｃ）は図１３（ｂ）の３ｃ−３ｃ断面を示す断面図である。
磁気センサ１３０は、電流線２０の上部にヨーク層１６を有する点が実施形態１に係る磁気センサ１２０と異なる。
【００５９】
ヨーク層１６は、その下部に磁気抵抗効果素子１０が配置されている１つの電流線２０と、この電流線２０の両隣に配置されている電流線２つを含む、３つの電流線（すなわち、第１〜第３の電流線）の組合せを少なくとも１組を覆うように電流線２０の上に配置されている。好ましくは、２組以上、より好ましくは図１３に示すように、全て組の電流線２０（図１３では、４つの電流線がその下部に磁気抵抗効果素子１０が配置されており、その電流線２０それぞれの両隣に配置された電流線２０が全部で５本あり、合計９つの電流線２０が示されている）を覆うようにヨーク層１６が電流線２０の上（上部）に設けられている。
【００６０】
なお、図１３（ｂ）、（ｃ）に示す実施形態では最も外側に位置する２つの電流線２０（図１３（ｂ）において一番上の電流線２０と一番下の電流線２０）は、幅方向（Ｘ方向）の一部しかヨーク層１６により覆われていないが、このように下部に磁気抵抗効果素子が配置されていない電流線２０については幅方向について一部を覆うだけでもよい。
また、ヨーク層１６と電流線２０との間の絶縁を確実に行うために、図１３（ｃ）に示すように、ヨーク層１６と電流線２０との間に絶縁層１２を形成してよい。
なお、ヨーク層１６等のヨーク層は、既知の任意の軟磁性材料により構成してよく、好適な軟磁性材料の例としてパーマロイ（Ｎｉ−Ｆｅ合金）を挙げることができる。ヨーク層は、例えば、軟磁性材料をスパッタまたはめっきすることにより構成できる。
【００６１】
このようなヨーク層１６を電流線２０の上に配置することにより、電流線２０の周りに形成されるフィードバック磁界のうち、電流線２０の上を通る磁界（すなわち、電流線２０を挟んで磁気抵抗効果素子１０がある側と反対側を通る磁界）がヨーク層１６を通ることで当該部分の磁束密度が大きくなり、電流線２０の下側に位置する磁気抵抗効果素子１０とともに磁気回路が高効率に形成されることから、同じ大きさの電流を電流線２０に流した場合、より多くのフィードバック磁界は磁気抵抗効果素子１０に印加されると考えられる。
【００６２】
ヨーク層１６は、好ましくは０．２μｍ以上の厚さを有する。また、ヨーク層は、図１３に示すように、平面視した場合に、長さ方向について磁気抵抗効果素子１０を覆うことができる長さ（Ｙ方向長さ）を有することが好ましい。
また、図１３（ｃ）に示すように電流線２０とヨーク層１６との間に絶縁層１２を形成しヨーク層が導伝性である場合、絶縁層１２の厚さは１μｍ以上であることが好ましい。
【００６３】
［シミュレーション結果］
次に、本実施形態の効果をより明確にするために行ったシミュレーションの結果を説明する。
図１２に示す構成を有する磁気センサ１２０と図１３に示す構成を有する磁気センサ１３０をモデルとしてシミュレーションを行った。
【００６４】
シミュレーションは、電流線２０を銅より成る幅（Ｘ方向長さ）４μｍ、厚さ（Ｚ方向長さ）１μｍの断面が長方形形状の導体とした。また隣り合う電流線２０の間の距離（隙間）は４μｍとした。
電流線２０と磁気抵抗効果素子１０との間に配置した絶縁層１２は、長さ（Ｙ方向長さ）１００μｍ、幅４μｍ、厚さ１μｍとした。
磁気抵抗効果素子１０は、ＳＶＧＭＲ素子を想定した。通常ＳＶＧＭＲ素子は、スピンの方向を固定した、例えばＣｏＦｅ層等を含む１または複数の層から成る固定層と、外部磁界により容易にスピンの向きが変わる、例えばＮｉＦｅ層等から成るフリー層とを有するが、単純化のため、磁気抵抗効果素子１０は、飽和磁束密度Ｂｓが１．４Ｔ、総磁化量２８、長さ１００μｍ、幅１０μｍ、厚さ２０ｎｍのＮｉＦｅの単層膜とした。
さらに、磁気センサ１３０については長さ（Ｙ方向）１００μｍ、幅（Ｘ方向）１０μｍ、厚さ０．２μｍのヨーク層１６を図１３に示すように配置した。
電流線２０とヨーク層１６との間に配置した絶縁層１２は、長さ１００μｍ、幅４μｍ、厚さ１μｍとした。
【００６５】
これらのモデルおよびパラメータを用い、シミュレーションは上述の磁界解析ソフトＪ−ＭＡＧを用いて行った。
【００６６】
図１４はシミュレーション結果を示すグラフである。
図１４のグラフの横軸は電流線に流す電流（フィードバック電流）の大きさを示し、縦軸は磁気抵抗効果素子１０に印加される磁界（磁束密度）の大きさを示す。図１４では、磁界の大きさをマイナスで示しているが絶対値が大きいほどより大きな磁界が印加されることを示す。
図１４の結果より、同じ電流を流した場合、ヨーク層１６を有する磁気センサ１３０は、軟磁性材料１６を有しない磁気センサ１２０と比べて、より大きなフィードバック磁界を磁気抵抗効果素子１０に印加できることが判る。
【００６７】
３．実施形態３
図１５は、本発明の実施形態３に係る磁気センサ１４０を示し、図１５（ａ）は磁気センサ１４０の上面図であり、図１５（ｂ）は図１５（ａ）に示した平面コイル７０の直線部Ｂを拡大した上面図であり、図１５（ｃ）は図１５（ｂ）の４ｃ−４ｃ断面を示す断面図である。
磁気センサ１４０は、コイル７０が２層構造を有することにより、図１５（ｃ）に示すように、高さ方向（Ｚ方向）に第１の電流線２０Ａとその上に絶縁層１２を介して配置されている第２の電流線２０Ｂの２層になっている点が実施形態１に係る磁気センサ１２０と異なる。
すなわち、本実施形態においては電流線２０は、絶縁層１２を介して積層された第１の電流線２０Ａと第２の電流線２０Ｂとから成る。
【００６８】
磁気センサ１４０では、第１の電流線２０Ａおよび磁気抵抗効果素子１０は磁気センサ１２０と同じ構成を有している。そして、それぞれの第１の電流線２０Ａの上に絶縁層１２を介して第２の電流線２０Ｂが配置されている。
このように、電流線を２層にすることにより、電流線２０Ａと電流線２０Ｂの両方で形成されたフィードバック磁界が磁気抵抗効果素子１０に印加されることから、同じ電流値でより多くのフィードバック磁界を磁気抵抗効果素子１０に印加できる。
第１の電流線２０Ａおよび第２の電流線２０Ｂは、その寸法、構成する材料等は電流線２０と同じであってよい。
【００６９】
好ましい実施形態においては、図１５（ａ）に示すように、第１の電流線２０Ａにより構成されるコイル７０の第１層と第２の電流線２０Ｂにより構成されるコイル７０Ｂの第２層とは上面視した場合一致する。また、好ましくはコイル７０の第１層とコイル７０の第２層等は直列に接続されており、第１の電流線２０Ａと第２の電流線２０Ｂとには同じ大きさの電流が流れる。
またフィードバック電流を流す電流線を３層以上（高さ方向に３層以上）形成してもよい。
【００７０】
［シミュレーション結果］
次に、本実施形態の効果をより明確にするために行ったシミュレーションの結果を説明する。
図１５に示す構成を有する磁気センサ１４０をモデルとしてシミュレーションを行った。
【００７１】
シミュレーションは、第１の電流線２０Ａを銅より成る幅（Ｘ方向長さ）４μｍ、厚さ（Ｚ方向長さ）１μｍの断面が長方形形状の導体とした。また隣り合う電流線２０Ａの間の距離（隙間）は４μｍとした。
第１の電流線２０Ａと磁気抵抗効果素子１０との間に配置した絶縁層１２は、長さ（Ｙ方向長さ）１００μｍ、幅４μｍ、厚さ１μｍとした。
第２の電流線２０Ｂも銅より成る幅４μｍ、厚さ１μｍの断面が長方形形状の導体とした。また隣り合う電流線２０Ｂの間の距離（隙間）は４μｍとした。
第１の電流線２０Ａと第２の電流線２０Ｂとの間に配置した絶縁層１２は、長さ１００μｍ、幅４μｍ、厚さ１μｍとした。
これ以外の条件は、実施形態２に示した磁気センサ１２０のシミュレーション条件と同じにした。
【００７２】
図１６はシミュレーション結果を示すグラフである。
図１６のグラフの横軸は第１の電流線２０Ａと第２の電流線２０Ｂとに流す電流（フィードバック電流）の大きさを示し、縦軸は磁気抵抗効果素子１０に印加される磁界（磁束密度）の大きさを示す。
図１６には、実施形態２で示した磁気センサ１２０のシミュレーション結果を再度示した。
図１６では、磁界の大きさをマイナスで示しているが絶対値が大きいほどより大きな磁界が印加されることを示す。
図１６の結果より、同じ電流を流した場合、電流線が２層構造となっている磁気センサ１４０は、電流線が１層構造である磁気センサ１２０と比べて磁気抵抗効果素子１０により大きなフィードバック磁界が印加されることが判る。
【００７３】
４．実施形態４
図１７は、本発明の実施形態４に係る磁気センサ１５０を示し、図１７（ａ）は磁気センサ１５０の上面図であり、図１７（ｂ）は図１７（ａ）に示した平面コイル７０の直線部Ｂを拡大した上面図であり、図１７（ｃ）は図１７（ｂ）の５ｃ−５ｃ断面を示す断面図である。
磁気センサ１５０は、電流線２０の上に絶縁層１２を介してバイアス磁界印加用電流線２２を有している点が実施形態１に係る磁気センサ１２０と異なる。
【００７４】
磁気抵抗効果素子１０として、例えばＳＶＧＭＲ素子を用いる場合、外部磁化によってスピンの向きが変わるフリー層は、より高い測定精度を得るために、バイアス磁界を印加し磁区を揃えておくことが好ましい。このため、本実施形態に係る磁気センサでは電流線２０に加えて、磁気抵抗効果素子１０にバイアス磁界を印加するためのバイアス磁界印加用電流線２２を有する。
バイアス磁界印加用電流線２２は、磁気抵抗効果素子１０の延在方向（Ｙ方向）に垂直な方向（すなわち電流線２０の延在方向に垂直な方向）に延在している。
磁気抵抗効果素子１０の全長に亘ってバイアス磁界を印加できるように、バイアス磁界印加用電流線２２は、図１７に示すように、磁気抵抗効果素子１０の延在方向に亘って、平行に複数配置されていることが好ましい。図１７の実施形態では１１本配置されている。
【００７５】
バイアス磁界印加用電流線２２は、平面コイル７２の一部分であることが好ましい。平面コイル７２の両端に電圧を印加することで、複数のバイアス磁界印加用電流線２２に電流を流すことができるからである。
なおバイアス磁界印加用電流線２２の寸法および構成材料は電流線２０と同じであってよい。
【００７６】
図１８は、実施形態４の変形例に係る磁気センサ１６０を示し、図１８（ａ）は磁気センサ１６０の上面図であり、図１８（ｂ）は図１８（ａ）に示した平面コイル７０の直線部Ｂを拡大した上面図であり、図１８（ｃ）は図１８（ｂ）の６ｃ−６ｃ断面を示す断面図である。
磁気センサ１６０は、磁気抵抗効果素子１０と電流線２０との間に絶縁層１２を介して（磁気抵抗効果素子との間および電流線２０との間の両方に絶縁層１２が配置されてよい）バイアス磁界印加用電流線２２を有している点が実施形態１に係る磁気センサ１２０と異なる。その他の磁気センサ１６０の構成は磁気センサ１５０の構成とおなじでよい。
すなわち、磁気センサ１５０ではバイアス磁界印加用電流線２２よりも電流線２０の方が磁気抵抗効果素子１０に近い位置に配置され、磁気センサ１６０では電流線２０よりもバイアス磁界印加用電流線２２の方が磁気抵抗効果素子１０に近い位置に配置されている。
被測定磁界範囲を大きくしたい場合つまりフィードバック磁界を大きくしたい場合は、磁気センサ１５０の配置の方が好ましく、より高精度な測定が必要な場合は、磁気センサ１６０の配置の方が好ましい。
【００７７】
５．実施形態５
図１９は、本発明の実施形態５に係る磁気センサ１７０を示し、図１９（ａ）は磁気センサ１７０の上面図であり、図１９（ｂ）は図１９（ａ）に示した平面コイル７０の直線部Ｂを拡大した上面図であり、図１９（ｃ）は図１９（ｂ）の７ｃ−７ｃ断面を示す断面図である。
磁気センサ１７０は、上述の磁気センサ１３０において、電流線２０が、上述の磁気センサ１４０に示した第１の電流線２０Ａと第２の電流線２０Ｂとから成る２層構造に変更された構成を有している。
【００７８】
６．実施形態６
図２０は、本発明の実施形態６に係る磁気センサ１８０を示し、図２０（ａ）は磁気センサ１８０の上面図であり、図２０（ｂ）は図２０（ａ）に示した平面コイル７０の直線部Ｂを拡大した上面図であり、図２０（ｃ）は図２０（ｂ）の８ｃ−８ｃ断面を示す断面図である。
磁気センサ１８０は、上述の磁気センサ１５０において、バイアス磁界印加用電流線の上に、絶縁層１２を介して、上述の磁気センサ１３０に示したヨーク層１６を設けた構成を有している。
【００７９】
図２１は、実施形態６の変形例に係る磁気センサ１９０を示し、図２１（ａ）は磁気センサ１９０の上面図であり、図２１（ｂ）は図２１（ａ）に示した平面コイル７０の直線部Ｂを拡大した上面図であり、図２１（ｃ）は図２１（ｂ）の９ｃ−９ｃ断面を示す断面図である。
磁気センサ１９０は、上述の磁気センサ１６０において、電流線２０の上に、絶縁層１２を介して、上述の磁気センサ１３０に示したヨーク層１６を設けた構成を有している。
【００８０】
７．実施形態７
図２２は、本発明の実施形態７に係る磁気センサ２００を示し、図２２（ａ）は磁気センサ２００の上面図であり、図２２（ｂ）は図２２（ａ）に示した平面コイル７０の直線部Ｂを拡大した上面図であり、図２２（ｃ）は図２２（ｂ）の１０ｃ−１０ｃ断面を示す断面図である。
磁気センサ２００は、上述の磁気センサ１４０において、第２の電流線２０Ｂの上に、絶縁層１２を介して、上述の磁気センサ１５０に示したバイアス磁界印加用電流線２２を設けた構成を有している。
【００８１】
図２３は、実施形態７の変形例に係る磁気センサ２１０を示し、図２３（ａ）は磁気センサ２１０の上面図であり、図２３（ｂ）は図２３（ａ）に示した平面コイル７０の直線部Ｂを拡大した上面図であり、図２３（ｃ）は図２３（ｂ）の１１ｃ−１１ｃ断面を示す断面図である。
磁気センサ２１０は、上述の磁気センサ１４０において、磁気抵抗効果素子１０と第１の電流線２０Ａとの間に絶縁層１２を介して（磁気抵抗効果素子１０との間および電流線２０との間の両方に絶縁層１２が配置されてよい）、上述の磁気センサ１６０に示したバイアス磁界印加用電流線２２を設けた構成を有している。
【００８２】
８．実施形態８
図２４は、本発明の実施形態８に係る磁気センサ２２０を示し、図２４（ａ）は磁気センサ２２０の上面図であり、図２４（ｂ）は図２４（ａ）に示した平面コイル７０の直線部Ｂを拡大した上面図であり、図２４（ｃ）は図２４（ｂ）の１２ｃ−１２ｃ断面を示す断面図である。
磁気センサ２２０は、上述の磁気センサ２００において、バイアス磁界印加用電流線２２の上に、絶縁層１２を介して、上述の磁気センサ１３０に示したヨーク層１６を設けた構成を有している。
【００８３】
図２５は、実施形態８の変形例に係る磁気センサ２３０を示し、図２５（ａ）は磁気センサ２３０の上面図であり、図２５（ｂ）は図２５（ａ）に示した平面コイル７０の直線部Ｂを拡大した上面図であり、図２５（ｃ）は図２５（ｂ）の１３ｃ−１３ｃ断面を示す断面図である。
磁気センサ２３０は、上述の磁気センサ２１０において第２の電流線２０Ｂの上に、絶縁層１２を介して、上述の磁気センサ１３０に示したヨーク層１６を設けた構成を有している。
【００８４】
９．実施形態９
図２６は本発明の実施形態９に係る磁気センサ２４０を示す平面図である。
磁気センサ２４０では、その下部に磁気抵抗効果素子１０が配置された第２の電流線２０と、この電流線２０の両隣に配置された第１の電流線（第２の電流線からＸ方向に位置）と第３の電流線（第２の電流線から−Ｘ方向に位置）に加えて、第１の電流線よりも外側（Ｘ方向）に位置し、その下部にヨーク層１４を備えた電流線（第４の電流線）２０と、第３の電流線よりも外側（−Ｘ方向）に位置し、その下部にヨーク層１４を備えた電流線（第５の電流線）２０とを有する。
第４の電流線２０および第５の電流線２０は、第１の電流線２０と平行に延在している（すなわち第２および第３の電流線とも平行に延在している。）
【００８５】
このように第４の電流線、第５の電流線およびヨーク層を配置することにより、電流線の作る磁界がヨーク層と磁気抵抗効果素子により磁気回路を形成するため、同じ電流でより高い磁界を磁気抵抗効果素子１０に印加できる。
【００８６】
第４の電流線および第５の電流線は、第１〜第３の電流線と直列に電気的に接続されていることが好ましい。
【００８７】
またヨーク層１４は、軟磁性材料を含んで成り、第１〜第５の電流線２０および磁気抵抗効果素子１０と電気的に接続されていない。
ヨーク層１４として、例えばパーマロイ等の合金膜を形成してよい。また、軟磁性材料層を含む多層膜であってもよい。このような多層膜のヨーク層１４の１つの形態として、電気的に接続されていない磁気抵抗効果素子（ダミーの磁気抵抗効果素子）を形成することを例示できる（例えば、図２６において、ヨーク層１４をダミーの磁気抵抗効果素子としてよい）。
さらに、例えば、図３に示す磁気センサにおいて、磁気抵抗効果素子１０ａ、１０ｂ、１０ｄ、１０ｅを電気的に接続せず（磁気抵抗効果素子として用いず）ヨーク層１４として用い、磁気抵抗効果素子としては磁気抵抗効果素子１０ｃのみを用いてもよい。
【００８８】
また、この第４の電流線、第５の電流線およびヨーク層を用いる構成を上述した実施形態１〜８の１以上の構成と組み合わせてもよい。
【００８９】
なお、以上に示した本発明に係る磁気センサ１００、１２０、１３０、１４０、１５０、１６０、１７０、１８０、１９０、２００、２１０、２２０、２３０、２４０は、例えばスパッタリング、フォトリソグラフィー、エッチング、メッキの様な既知のプロセスにより形成することができる。
【００９０】
なお、本発明の磁気センサは例えばコイル７０の両端および磁気抵抗効果素子１０を磁気センサ回路（フィードバック回路）に接続することで、磁気センサおよび／または電流センサとして利用できる。
磁気センサ回路は既知の任意の構成を有してよい。
図２７は、磁気センサ回路（フィードバック回路）の例を示す概略回路図である。
図２７に示す磁気センサ回路は、いわゆる磁気平衡型の回路であり、例えば電流センサとして利用できる。この磁気センサ回路は、磁気抵抗効果素子１０（２つ以上の磁気抵抗効果素子１０であってもよい）の一端側は直流の定電流源Ｉｃｃまたは定電圧源Ｖｃｃから電流の供給を受けるよう接続され、また、コンパレータ３１４の負極（−）端子に接続される。また、磁気抵抗効果素子１０の他端側は固定抵抗を介して共通端子（ＧＮＤ）に接続される。磁気抵抗効果素子１０が、固定層が反対向きの２種類の場合は、上記固定抵抗部分が２種類のうちのひとつとなる。なお、コンパレータ３１４の正極（＋）端子は、基準電源３１５を介して共通端子（ＧＮＤ）に接続される。基準電源３１５の出力電位は、磁界のない場所における磁気抵抗効果素子１０の電位とする。
【００９１】
このコンパレータ３１４の出力は、コイル３１３の一端側に、波形整形部３４１とローパスフィルタ（ＬＰＦ）３４２とを介して接続され、また、出力端子ＯＵＴに接続される。さらにコイル３１３（これがフィードバックコイル２０となる）の他端側は固定抵抗器３１６を介して共通端子（ＧＮＤ）に接続される。
図２７に示す回路を備えた磁気センサは、磁気抵抗効果素子１０が出力する電圧信号を、コンパレータ３１４、波形整形部３４１及びＬＰＦ３４２を通じて得る。このＬＰＦ３４２を介して得られた出力は、基準電源の電位と磁気抵抗効果素子１０の出力する電圧信号の電位との差に比例する電圧信号となる。
ここで、この磁気センサを被測定電流の流れる導体（例えばバス・バー）の近傍に配すると、この被測定電流により生じる誘導磁界により磁気抵抗効果素子１０の抵抗値が変化する。すると、その出力電位が磁界のないときの電位（既に述べたように基準電源の電位はこの電位に等しくしておく）からずれるので（オフセット）、コンパレータ３１４、波形整形部３４１及びＬＰＦ３４２を通じて得られる出力は、この電位のずれ量に応じた大きさの電圧信号となる。この電圧信号が被測定電流（バス・バー内を流れる電流）により生じる誘導磁界の強さを表す。
【００９２】
この電圧信号はコイル３１３の一端側に供給され、コイル３１３に電流が流れることにより、フィードバック磁界（キャンセル磁界）を生じる。そしてこのキャンセル磁界による磁束が、被測定電流から生じる誘導磁界とともに、磁気抵抗効果素子１０に印加される。そして磁気抵抗効果素子１０を通る磁束がゼロとなるとき（磁気抵抗効果素子１０の出力電圧が基準電位３１５と同じとなるとき）のコイル３１３に供給した電流量に比例した電圧信号Ｖを固定抵抗器３１６の両端電圧として取り出す（ＯＵＴ）。すると、この電圧信号Ｖが、被測定電流（上記の例ではバス・バー内を流れる電流）の電流量に比例した出力信号となる。
【００９３】
図２７の「低電圧の場合（２）」に示すように、２つの磁気抵抗効果素子１０をその極性が反対（すなわち、磁気抵抗効果素子１０の固定層の磁化方向が反対）となるように配置し、ハーフブリッジ回路を構成することでフィードバックコイル全体のサイズ（従って、磁気センサ全体のサイズ）を小さく構成でき、抵抗も小さくできる。また、検出信号が２つ重畳されることになり、出力が向上する。
しかし、２つ以上の磁気抵抗効果素子１０を電気的に接続して、ブリッジ回路を形成する構成はこれに限定されるものでなく、既知の任意の構成を用いてよい。
図２８は、４つの磁気抵抗効果素子１０を用いてフルブリッジ回路を構成した例を示す概略回路図である。
図２８に示すように、１つの磁気センサに、４つの磁気抵抗効果素子１０を配置して、フルブリッジの構成とすることで、磁気抵抗効果素子１０がコモンモードノイズなどの電圧変化をキャンセルして、測定精度が向上する。
その場合に磁気抵抗効果素子１０をフィードバックコイルの１つの電流線に、当該電流線の電流が流れる方向に沿って２つ配置することで、１つの電流線に１つの磁気抵抗効果素子１０を配置した場合と比べ、フィードバックコイルの巻数を少なくできる。この結果、フィードバックコイルの長さを短くでき、フィードバックコイルの抵抗が下がるため、フィードバック電圧を下げる事ができ、低電圧で動作可能になる。
さらに、その感磁軸の向きを考慮して磁気抵抗効果素子１０を配置することで磁気的なノイズのキャンセルも期待できる。例えば２つのハーフブリッジでフルブリッジ回路を構成した場合であれば、同じ電流線から発生する誘導磁界の向きが反対になる位置に、ハーフブリッジをそれぞれ配置することで、均一な外部磁界によるノイズはキャンセルされる。
なお、フルブリッジ回路は、上述のように、４つまたは４つ以上の磁気抵抗効果素子１０を用いて構成する以外に、例えば３つの磁気抵抗効果素子１０を用いて構成してもよい。
【実施例】
【００９４】
次に、上述の実施形態４、７および８に係る、フィードバックコイルおよびバイアスコイルの構成を有する実施例サンプルを作製し、その消費電力１ｍＡあたりの検出した磁界の強さである検出効率により評価した。
詳細を以下に示す。
表１は、作製したサンプルの詳細および得られた検出効率の結果を示す。【００９５】
【表１】
2014148437.tif 000003
「ＦＢ」はフィードバックコイルを意味し、「Ｂｉａｓ」はバイアスコイルを意味し、「ＮｉＦｅ」はヨーク層を意味する。【００９６】
表１には、各サンプルの対応する実施形態を示している。但し、これは最も近い実施形態を示すものであって、表１に記載した実施形態以外の実施形態の構成要件を満足しないことを意味するものではないことに留意されたい。
また、それぞれのサンプルと同じ構成を示す図、より具体的な、フィードバックコイルと、バイアスコイルと、ヨーク層（配置された場合のみ）の積層順を示す図を「図」欄に記載した。
なお、「図」欄では、フィードバックコイルと、バイアスコイルと、ヨーク層（配置された場合のみ）のうち、最も下側（磁気抵抗効果素子１０に近い側）に位置するものを左に記載し、積層したフィードバックコイルと、バイアスコイルと、ヨーク層とを積層順左から右に記載している。【００９７】
図２９は、実施例サンプル１の断面を示す断面図である。図２９の断面は、図２２ｃに相当する断面、すなわち図２２ｂの１０ｃ−１０ｃ断面に相当する断面である。
図２９を用いて、実施例サンプルの詳細を説明する。以下に説明する寸法はいずれも設計値（狙い値）であり、製造上の精度の問題から、実際の寸法は、本発明の効果を確認するのに問題のない範囲でこの設計値から若干ずれている可能性があることに留意されたい。
いずれのサンプルも非磁性であるシリコンから成る基板４０上に形成した。具体的には、基板４０の表面を酸化して形成したＳｉＯ２の絶縁層１２の上に２つの磁気抵抗効果素子１０を配置した。用いた磁気抵抗効果素子１０はＧＭＲ感磁膜（ＳＶＧＭＲ感磁膜）を有する、ＳＶＧＭＲ素子である。なお、図２９から判るように、２つの磁気抵抗効果素子１０のうちの１つ（図２９の左側）は、上述のＳｉＯ２の絶縁層１２の上に更に厚さ０．０３μｍの絶縁層１２を形成した後、この厚さ０．０３μｍの絶縁層１２上に形成した。磁気抵抗効果素子１０のＧＭＲ感磁膜の幅（Ｘ方向の長さ）Ｗｇは、それぞれＬｓ／Ｗｇが表１に記載した条件になるように適宜選択し、磁気抵抗効果素子１０のＧＭＲ感磁膜の長さ（Ｙ方向の長さ）は、全ての条件で電気抵抗が一定となるように幅に応じて長さを選択した。
２つの磁気抵抗効果素子１０を覆うように、厚さ０．２μｍの絶縁層１２を形成した後、更に厚さ１．３μｍの絶縁層１２を形成した。【００９８】
そして、さらにこの絶縁層１２の上に表１の「構成」欄に示す順序で、フィードバックコイルおよびバイアスコイル、さらに表１に記載のある場合はヨーク層を設けた。
いずれの実施例サンプルでもフィードバックコイルは、７巻の平面コイルであり、図２９に示す断面上に１つのフィードバックコイルについて７つの電流線２０が形成された。
電流線２０の幅Ｗｐは４μｍ（幅は、例えば、上面視における端部間の距離を計測することにより測定可能）であり、隣り合う電流線２０の距離ｄ２は４μｍであり、厚さは０．８μｍであった。
従って、第１の電流線の外側から前記第３の電流線の外側までの長さＬｓは２０μｍであった。【００９９】
また、いずれの実施例サンプルでもバイアスコイルは、１６巻の平面コイルであり、その電流線２２が幅は４μｍであり、隣り合う電流線２２の距離は４μｍであり、厚さは０．８μｍであった。
フィードバックコイル、バイアスコイルおよび配線はＡｌ−Ｃｕをスパッタにより形成した。
また、ヨーク層を設ける場合は、幅５２μｍ、長さ１３８μｍ、厚さ１μｍのヨーク層をＮｉ−Ｆｅをめっきにより形成した。【０１００】
フィードバックコイル、バイアスコイル、ヨーク層の何れかを積層し、更に別のフィードバックコイル、バイアスコイル、ヨーク層の何れかする場合、その間に厚さ１．３μｍの絶縁層１２を設けた。また、フィードバックコイル、バイアスコイル、ヨーク層の何れかのうち最も上側に位置するものの上にも厚さ１．３μｍの絶縁層１２を設けた。
従って、図２９に示すサンプル１の場合、１つ目のフィードバックコイルの電流線である第１の電流線２０Ａの上に厚さ１．３μｍの絶縁層１２が形成され、この絶縁層１２の上に２つ目のフィードバックコイルの電流線である第２の電流線２０Ｂが形成されている。そして、第２の電流線２０Ｂの上に絶縁膜１２が形成され、この絶縁層１２の上にバイアスコイルの電流線２２が形成されている。さらに、電流線２２の上にも絶縁層１２が形成されている。
なお、実施例サンプルで用いた絶縁層１２は、ＳｉＯ２膜、Ａｌ２Ｏ３膜、ハードベークレジストの中から適宜選択して形成した。【０１０１】
このようにして作製した実施例サンプル１〜１８のそれぞれについて、バイアス電流を流した状態で、磁界を印加した。磁界に対して線形に出力される範囲を動作範囲として、
フィードバックに必要な最大電流の測定を行った。得られた最大フィードバック電流（表１の最大ＦＢ電流）を表１に示す。【０１０２】
比較例サンプルとして、Ｌｓ／Ｗｇ≦５を満たさない条件のサンプルを作製し、実施例と比較した。最大フィードバック電流（表１の最大ＦＢ電流）を表１に示す。【０１０３】
消費電流の比較は動作範囲内のフィードバックに必要な電流量の検出効率によって比較した。より具体的には、以下の式を用いて動作範囲の半分の磁界の強さを最大フィードバック電流で除した値を検出効率として求めた。
検出効率＝(動作範囲／２)／最大フィードバック電流
表１に示すように、比較例に対して、本発明の実施例ではフィードバック電流あたりの検出効率が大きくなっており、消費電流が小さくなっていることが確認できた。また、ヨーク層を設けることにより、さらに検出効率が高くなることもわかった。
【符号の説明】
【０１０４】
１０  磁気抵抗効果素子
１２  絶縁層
１４、１６  ヨーク層
２０  電流線
２０Ａ  第１の電流線
２０Ｂ  第２の電流線
２０C  第３の電流線
２２  バイアス磁界印加用電流線
３６、３８  中心線
７０、７２  平面コイル
１００、１２０、１３０、１４０、１５０、１６０、１７０、１８０、１９０、２００、２１０、２２０、２３０、２４０  磁気センサ
【図１】
2014148437.tif 000004
【図２】
2014148437.tif 000005
【図３】
2014148437.tif 000006
【図４】
2014148437.tif 000007
【図５】
2014148437.tif 000008
【図６】
2014148437.tif 000009
【図７】
2014148437.tif 000010
【図８】
2014148437.tif 000011
【図９】
2014148437.tif 000012
【図１０】
2014148437.tif 000013
【図１１】
2014148437.tif 000014
【図１２】
2014148437.tif 000015
【図１３】
2014148437.tif 000016
【図１４】
2014148437.tif 000017
【図１５】
2014148437.tif 000018
【図１６】
2014148437.tif 000019
【図１７】
2014148437.tif 000020
【図１８】
2014148437.tif 000021
【図１９】
2014148437.tif 000022
【図２０】
2014148437.tif 000023
【図２１】
2014148437.tif 000024
【図２２】
2014148437.tif 000025
【図２３】
2014148437.tif 000026
【図２４】
2014148437.tif 000027
【図２５】
2014148437.tif 000028
【図２６】
2014148437.tif 000029
【図２７】
2014148437.tif 000030
【図２８】
2014148437.tif 000031
【図２９】
2014148437.tif 000032
【国際調査報告】
2014148437.tif 000033
2014148437.tif 000034
2014148437.tif 000035
2014148437.tif 000036